(57)【要約】【課題】本発明は、組立性が良好な水流スイッチを提供する。【解決手段】本発明の一態様に係る水流スイッチは、ケースと、フラッパとを備える。ケースは、流入口と、流出口と、ケース本体と、蓋体とを有する。流入口からは、湯水が流入する。流出口からは湯水が流出する。ケースの内部には、流路が設けられる。流路は、ケース本体と蓋体とにより画されている。流路は、流入口及び流出口と接続している。流路には、湯水が流れる。フラッパは、シャフトと、フラッパ本体とを有する。フラッパ本体には、シャフト穴が設けられている。シャフト穴には、シャフトが挿入される。フラッパ本体は、流路内において、シャフトを中心として流入口から流出口に向かう方向に回動可能に支持される。蓋体は、シャフト固定部を有する。シャフト固定部は、蓋体のケース本体側の面に設けられる。シャフト固定部には、シャフトが固定される。【選択図】図１
2018097930.tif 000002
【特許請求の範囲】
【請求項１】
湯水が流入する流入口と、前記湯水が流出する流出口と、ケース本体と、前記ケース本体に取り付けられる蓋体とを有し、前記ケース本体と前記蓋体とにより画され、前記流入口及び前記流出口に接続され、かつ前記湯水が流れる流路が内部に設けられたケースと、
シャフトと、前記シャフトが挿入されるシャフト穴が設けられ、かつ前記流入口から前記流出口に向かう方向に前記シャフトを中心として回動可能に前記流路内において支持されるフラッパ本体とを有するフラッパとを備え、
前記蓋体は、前記ケース本体側の面上に設けられ、かつ前記シャフトが固定されるシャフト固定部を含む、水流スイッチ。
【請求項２】
前記蓋体は、前記ケース本体側の面上において前記シャフト固定部よりも前記流入口側に配置され、かつ前記湯水が前記流路を流れていない状態において前記フラッパ本体を支持する台座を有する、請求項１に記載の水流スイッチ。
【請求項３】
前記湯水が前記流路を流れていない状態において、前記フラッパ本体の延在方向と前記流入口の延在方向とがなす角度は、９０°±１０°である、請求項２に記載の水流スイッチ。
【請求項４】
前記蓋体は、前記ケース本体側の面上において前記流入口と前記シャフトとの間に配置され、かつ前記流入口から前記シャフトに向かう方向と交差するように延在する案内壁を含む、請求項１に記載の水流スイッチ。
【請求項５】
前記案内壁は、前記流出口に向かう方向に延在する、請求項４に記載の水流スイッチ。
【請求項６】
循環流路と、
前記循環流路上に配置される請求項１〜５のいずれか１項に記載の前記水流スイッチとを備える、温水装置。
【発明の詳細な説明】
【技術分野】
【０００１】
本発明は、水流スイッチ及び温水装置に関する。
【背景技術】
【０００２】
従来から、実公平７−２８６５７号公報（特許文献１）に記載の水流スイッチ、特開平８−２９８０５６号公報（特許文献２）に記載の水流スイッチ及び特許第４１６５８７２号公報（特許文献３）に記載の水流スイッチが知られている。
【０００３】
特許文献１に記載の水流スイッチは、本体と、蓋板と、揺動片と、永久磁石と、ブラケットと、軸と、リードスイッチとを有している。本体は、入口部と、出口部とを有している。検知対象となる湯水は、入口部から流入し、出口部から流出する。本体の内部には、入口部及び出口部に接続している流路が設けられている。本体には、流路を挟んで入口部と対向する側において、開口が設けられている。蓋板は、開口を塞ぐように本体に取り付けられている。
【０００４】
揺動片には、永久磁石が取り付けられている。ブラケットに設けられた穴には、軸が通されている。揺動片に設けられた穴にも、軸が通されている。これにより、揺動片は、軸を中心として回動可能となっている。ブラケットは、流路に取り付けられている。揺動片が入口部から流入した湯水で回動することにより、永久磁石とリードスイッチとが接近する。リードスイッチは、永久磁石による磁界変化を検知して、通水の有無を検知する。
【０００５】
特許文献２に記載の水流スイッチは、フレームと、シール板と、スイングプレートと、磁性材と、ピンと、スイングプレート支持板と、リードスイッチとを有している。フレームは、入口部と、出口部とを有している。検知対象となる湯水は、入口部から流入し、出口部から流出する。フレームの内部には、入口部及び出口部と接続している中空部が設けられている。フレームには、中空部を挟んで入口部と対向する側において開口が設けられている。シール板は、開口を塞ぐようにフレームに取り付けられている。
【０００６】
磁性材は、スイングプレートに取り付けられている。ピンは、スイングプレート支持板に設けられたピン穴及びスイングプレートに設けられたピン穴に通されている。これにより、スイングプレートは、ピンを中心として回動可能となっている。スイングプレート支持板は、中空部に取り付けられている。スイングプレートが入口部から流入した湯水で回動することにより、磁性材とリードスイッチとが接近する。リードスイッチは、磁性材による磁界変化を検知して、通水の有無を検知する。
【０００７】
特許文献３に記載の水流スイッチは、本体と、蓋体と、検知片と、支持部材と、マグネットと、センサとを有している。本体は、流入口と流出口とを有している。検知対象となる湯水は、入口部から流入し、出口部から流出する。本体の内部には、流入口及び流出口と接続している検知室が設けられている。本体には、開放口が設けられている。蓋体は、開放口を塞ぐように本体に取り付けられている。支持部材は、略コの字型に折り曲げられている。支持部材の一部は、回動軸となっている。回動軸は、検知片に設けられた穴に通されている。これにより、検知片は、回動軸を中心として回動可能となっている。支持部材は、検知室に配置されている。
【０００８】
検知片が流入口から流入した湯水で回動することにより、マグネットとセンサとが接近する。センサは、マグネットによる磁界変化を検知して、通水の有無を検知する。
【先行技術文献】
【特許文献】
【０００９】
【特許文献１】実公平７−２８６５７号公報
【特許文献２】特開平８−２９８０５６号公報
【特許文献３】特許第４１６５８７２号公報
【発明の概要】
【発明が解決しようとする課題】
【００１０】
特許文献１に記載された水流スイッチは、本体の開口から、軸及び揺動片が組み付けられた状態のブラケットを流路内に配置することにより組み立てられる。軸は、ブラケット及び揺動片に設けられた穴に通されているに過ぎない。そのため、ブラケットを流路内に配置する際に、軸がブラケット及び揺動片に設けられた穴から抜け落ちてしまうおそれがある。
【００１１】
同様に、特許文献２に記載された水流スイッチにおいても、ピンがスイングプレート及びスイングプレート支持板に設けられたピン穴に通されているに過ぎないため、スイングプレート支持板を中空部に配置する際に、ピンがピン穴から抜け落ちてしまうおそれがある。
【００１２】
同様に、特許文献３に記載された水流スイッチにおいても、回動軸は検知片に設けられた穴に通されているに過ぎないため、支持部材を検知室に配置する際に、回動軸が穴から抜け落ちてしまうおそれがある。
【００１３】
すなわち、特許文献１に記載の水流スイッチ、特許文献２に記載の水流スイッチ及び特許文献３に記載の水流スイッチは、組立性に改善の余地がある。
【００１４】
本発明は、上記の従来技術の問題点に鑑みてなされたものである。具体的には、本発明は、組立性が良好な水流スイッチ及び温水装置を提供する。
【課題を解決するための手段】
【００１５】
本発明の一態様に係る水流スイッチは、ケースと、フラッパとを備える。ケースは、流入口と、流出口と、ケース本体と、蓋体とを有する。流入口からは、湯水が流入する。流出口からは湯水が流出する。ケースの内部には、流路が設けられる。流路は、ケース本体と蓋体とにより画されている。流路は、流入口及び流出口と接続している。流路には、湯水が流れる。
【００１６】
フラッパは、シャフトと、フラッパ本体とを有する。フラッパ本体には、シャフト穴が設けられている。シャフト穴には、シャフトが挿入される。フラッパ本体は、流路内において、シャフトを中心として流入口から流出口に向かう方向に回動可能に支持される。蓋体は、シャフト固定部を有する。シャフト固定部は、蓋体のケース本体側の面に設けられる。シャフト固定部には、シャフトが固定される。本発明の一態様に係る水流スイッチによると、組立性を改善することができる。
【００１７】
上記の水流スイッチにおいて、蓋体は、台座を含んでいてもよい。台座は、ケース本体側の面上においてシャフト固定部よりも流入口側に配置される。台座は、流路に湯水が流れていない状態において、フラッパ本体を支持する。この場合には、台座により、水流スイッチがオフ状態となるフラッパ本体の位置決めを行うことができる。
【００１８】
上記の水流スイッチにおいて、湯水が流路を流れていない状態において、フラッパ本体の延在方向と流入口の延在方向とがなす角度は、９０°±１０°であってもよい。この場合には、検知対象となる湯水の流量が少なくても、検知を行うことができる。
【００１９】
上記の水流スイッチにおいて、蓋体は、案内壁を有していてもよい。案内壁は、ケース本体側の面上において流入口とシャフトとの間に配置され、かつ流入口からシャフトに向かう方向と交差するように延在する。この場合には、検知対象となる湯水に含まれるゴミがシャフトとフラッパ本体との間に詰まることを抑制することができる。
【００２０】
上記の水流スイッチにおいて、案内壁は、流出口に向かう方向に延在していてもよい。この場合、検知対象となる湯水に含まれるゴミを、流出口から排出させやすくすることができる。
【００２１】
本発明の一態様に係る温水装置は、上記の水流スイッチと、循環流路とを備える。水流スイッチは、循環流路上に配置される。本発明の一態様に係る温水装置によると、水流スイッチの組立性を改善することができる。
【発明の効果】
【００２２】
本発明の一態様に係る水流スイッチによると、水流スイッチの組立性を改善することができる。本発明の一態様に係る温水装置によると、水流スイッチの組立性を改善することができる。
【図面の簡単な説明】
【００２３】
【図１】実施形態に係る水流スイッチの上面図である。
【図２】実施形態に係る水流スイッチの側面図である。
【図３】蓋体及びフラッパの分解斜視図である。
【図４】図２のＩＶ−ＩＶにおける断面図である。
【図５】実施形態に係る水流スイッチの動作を示す模式図である。
【図６】案内板の作用を示す模式図である。
【図７】実施形態に係る温水装置の模式図である。
【発明を実施するための形態】
【００２４】
以下に、実施形態について、図を参照して説明する。なお、各図中同一又は相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００２５】
（実施形態に係る水流スイッチの構成）
以下に実施形態に係る水流スイッチの構成について、図１〜４を参照して説明する。図１（図１においては、水流スイッチの内部構造を明らかにするため、蓋体１５の図示は省略してある）〜図４に示すように、実施形態に係る水流スイッチは、ケース１と、フラッパ２と、近接スイッチ３とを有している。
【００２６】
ケース１は、流入口１１と、流出口１２とを有している。ケース１の内部には、流路１３が設けられている。流入口１１からは、検知対象となる湯水が流入する。流出口１２からは、検知対象となる湯水が流出する。流入口１１及び流出口１２は、内部が中空となっている。流路１３は、流入口１１及び流出口１２に接続している。すなわち、流入口１１から流入した検知対象となる湯水は流路１３を流れ、流路１３を流れた検知対象となる湯水は、流出口１２から流出する。
【００２７】
ケース１は、ケース本体１４と、蓋体１５とを有している。ケース本体１４には、凹部１４ａが設けられている。ケース本体１４は、凹部１４ａにおいて窪んでいる。凹部１４ａは、側壁面１４ｂと、底面１４ｃとを有している。蓋体１５は、底面１４ｃと対向するように、ケース本体１４に取り付けられている（以下においては、蓋体１５のケース本体１４側の面を、内側面１５ａという）。これにより、ケース本体１４と蓋体１５は、流路１３を画している。より具体的には、流路１３は、側壁面１４ｂ、底面１４ｃ及び蓋体１５の内側面１５ａにより画されている。
【００２８】
蓋体１５は、シャフト固定部１５ｂと、台座１５ｃと、案内板１５ｄとを有している。シャフト固定部１５ｂ、台座１５ｃ及び案内板１５ｄは、蓋体１５の内側面１５ａ上に設けられている。
【００２９】
シャフト固定部１５ｂは、例えば円筒形状を有している。シャフト固定部１５ｂは、台座１５ｃと一体に形成されていてもよい。シャフト固定部１５ｂは、内側面１５ａ側の端において、内側面１５ａから離間していてもよい。シャフト固定部１５ｂには、穴１５ｂａが形成されている。穴１５ｂａは、シャフト固定部１５ｂ内において、内側面１５ａに交差する方向に延在している。好ましくは、穴１５ｂａは、シャフト固定部１５ｂ内において、内側面１５ａと直交するように延在している。シャフト２２は、穴１５ｂａに嵌合されることにより、蓋体１５に固定される。
【００３０】
台座１５ｃは、シャフト固定部１５ｂよりも流入口１１側に配置されている。台座１５ｃは、流入口１１の延在方向と交差するように延在している。また、台座１５ｃは、底面１４ｃに向かう方向にも延在している。これにより、台座１５ｃは、流路１３に検知対象となる湯水が流れていない状態において、フラッパ本体２１を支持している。
【００３１】
フラッパ本体２１は、台座１５ｃに支持されている状態において、流入口１１の延在方向と角度θをなすように延在している。好ましくは、角度θは、９０°±１０°である。より具体的には、フラッパ本体２１の第３部分２１ｄは、フラッパ本体２１が台座１５ｃに支持されている状態において、流入口１１の延在方向と角度θをなすように延在している。
【００３２】
案内板１５ｄは、流入口１１とシャフト２２との間に配置されている。具体的には、流路１３と接続している側における流入口１１の中心Ｃとシャフト２２との間に配置されている。案内板１５ｄは、流入口１１からシャフト２２に向かう方向と交差するように延在している。具体的には、流路１３と接続している側における流入口１１の中心Ｃからシャフト２２に向かう方向と交差するように延在している。
【００３３】
案内板１５ｄは、流出口１２に向かう方向に延在していてもよい。例えば、案内板１５ｄは、流出口１２と流路１３とが接続されている部分と交差するように延在していてもよい。なお、案内板１５ｄは、底面１４ｃに向かう方向にも延在している。なお、案内板１５ｄは、台座１５ｃと一体に形成されていてもよい。
【００３４】
フラッパ２は、フラッパ本体２１、シャフト２２及びマグネット２３を有している。フラッパ本体２１は、第１部分２１ｂと、第２部分２１ｃと、第３部分２１ｄと、第４部分２１ｅとを有している。
【００３５】
第１部分２１ｂ及び第２部分２１ｃには、シャフト穴２１ａが設けられている。第１部分２１ｂ及び第２部分２１ｃは、シャフト２２の延在方向と交差するように、第３部分２１ｄから折れ曲がっている。第１部分２１ｂ及び第２部分２１ｃは、互いに対向するように配置されている。第１部分２１ｂと第２部分２１ｃとの間隔は、シャフト固定部１５ｂの長さよりも広くなっている。
【００３６】
第４部分２１ｅは、第３部分２１ｄから折れ曲がっている。第４部分２１ｅは、流入口１１の側に向かって折れ曲がっている。第３部分２１ｄ及び第４部分２１ｅは、流路１３内を流れる検知対象となる湯水からの水圧を受ける。
【００３７】
シャフト２２は、シャフト穴２１ａに通される。上記のとおり、シャフト２２は、シャフト固定部１５ｂにより蓋体１５に固定される。これにより、フラッパ本体２１は、流路１３内において、シャフト２２を中心として、蓋体１５に回動可能に支持されている。フラッパ本体２１は、流路１３を流れる検知対象となる湯水により、流入口１１から流出口１２に向かう方向に回動する。
【００３８】
マグネット２３は、フラッパ本体２１に取り付けられている。具体的には、マグネット２３は、第３部分２１ｄに取り付けられている。近接スイッチ３は、ケース１の外側に取り付けられている。近接スイッチ３は、フラッパ本体２１が流出口１２側に最も回動した際に、マグネット２３との距離が最も近くなる位置に配置される。近接スイッチ３は、マグネット２３による磁界変化を検知する。近接スイッチ３は、例えば磁気センサである。
【００３９】
以下に、実施形態に係る水流スイッチの動作について、図５を参照して説明する。図５（Ａ）に示すように、流入口１１から検知対象となる湯水が流入していない場合、フラッパ本体２１には、湯水からの水圧が作用しない。そのため、フラッパ本体２１は、最も流入口１１側に回動した状態となっている。その結果、マグネット２３と近接スイッチ３との距離が離れており、水流スイッチはオフ状態となる。
【００４０】
他方、図５（Ｂ）に示すように、流入口１１から検知対象となる湯水が流入している場合（図５（Ｂ）において、検知対象となる湯水の流れは実線矢印で示されている）、フラッパ本体２１には、湯水からの水圧が作用する。そのため、フラッパ本体２１は、湯水からの水圧により流出口１２側に回動する。その結果、マグネット２３と近接スイッチ３との距離が近づき、水流スイッチはオン状態となる。
【００４１】
以下に、実施形態に係る水流スイッチの組立方法について説明する。実施形態に係る水流スイッチの組立においては、第１に、フラッパ本体２１は、第１部分２１ｂ及び第２部分２１ｃがシャフト固定部１５ｂを挟み込み、かつシャフト穴２１ａの位置が穴１５ｂａの位置と一致するように配置される。第２に、シャフト２２が、シャフト穴２１ａ及び穴１５ｂａに挿入される。これにより、フラッパ２が蓋体１５に取り付けられる。
【００４２】
第３に、フラッパ２が蓋体１５に取り付けられた状態で、蓋体１５がケース本体１４に取り付けられる。これにより、フラッパ２が流路１３内に配置されることになる。なお、蓋体１５がケース本体１４に取り付けられた後においては、シャフト２２の他方端とケース本体１４の底面１４ｃとの隙間が小さいため、シャフト２２がシャフト固定部１５ｂから抜け落ちにくい。
【００４３】
以下に、実施形態に係る水流スイッチの効果について説明する。上記のとおり、実施形態に係る水流スイッチにおいては、シャフト２２が、シャフト固定部１５ｂに設けられた穴１５ｂａと嵌合されることにより、蓋体１５に固定されている。そのため、実施形態に係る水流スイッチにおいては、フラッパ２を流路１３内に組み付ける際に蓋体１５を動かしたとしても、シャフト２２が蓋体１５から外れにくい。そのため、実施形態に係る水流スイッチによると、水流スイッチの組立性を改善することができる。
【００４４】
上記のとおり、台座１５ｃは、検知対象となる湯水が流れていない状態において、フラッパ本体２１を支持している。検知対象となる湯水が流れていない場合、実施形態に係る水流スイッチは、オフ状態となっている。そのため、実施形態に係る水流スイッチが台座１５ｃを有している場合、水流スイッチがオフ状態となるフラッパ本体２１の位置を規定することができる。
【００４５】
角度θが９０°±１０°である場合、流路１３に検知対象となる湯水が流れ始めた際、当該湯水からの水圧が、フラッパ本体２１に直角に近い角度で作用する。この場合には、当該湯水がフラッパ本体２１を流出口１２の方向に向かって回動させようとする力が、相対的に大きくなる。
【００４６】
したがって、角度θが９０°±１０°である場合には、検知対象となる湯水の流量が少なくても、実施形態に係る水流スイッチは、通水の有無の検知を行うことができる。
【００４７】
検知対象となる湯水には、ゴミ（毛髪、砂等）が混入する場合がある。シャフト２２が流入口１１に対して露出している場合には、このゴミがシャフト２２とフラッパ本体２１との間に詰まってしまうおそれがある。その結果、流路１３内に検知対象となる湯水が流れていない場合でも、フラッパ本体２１が流入口１１側に回動しにくくなり、水流スイッチのオン状態が維持されてしまう場合がある。特に、水流スイッチを小型化した際には、シャフト２２と流入口１１との距離が接近するため、その傾向がより顕著となる。
【００４８】
上記のとおり、案内板１５ｄは、流入口１１とシャフト２２との間に配置され、かつ流入口１１からシャフト２２に向かう方向と交差する方向に延在している。そのため、実施形態に係る水流スイッチが案内板１５ｄを有している場合、シャフト２２が流入口１１に対して露出していない。
【００４９】
すなわち、検知対象となる湯水に混入しているゴミは、図６（図６においては、フラッパ２の図示は省略されている）中の実線矢印で示されるように、シャフト２２とフラッパ本体２１との間に到達する前に、案内板１５ｄにより遮断される。したがって、実施形態に係る水流スイッチが案内板１５ｄを有している場合には、検知対象となる湯水にゴミが混入していたとしても、そのゴミがシャフト２２とフラッパ本体２１との間に詰まりにくい。
【００５０】
案内板１５ｄが流出口１２に向かって延在している場合、図６中の実線矢印で示されるように、検知対象となる湯水に含まれるゴミは、案内板１５ｄと接触することにより、流出口１２に向かうように方向が変えられる。そのため、この場合には、検知対象となる湯水に含まれるゴミを水流スイッチからより排出しやすくなる。
【００５１】
（実施形態に係る温水装置）
以下に、図７を参照して実施形態に係る温水装置１００の構成を説明する。実施形態に係る温水装置１００は、図７に示すように、循環流路４と、水流スイッチ５と、熱交換器６と、バーナ７と、ポンプＰとを有している。
【００５２】
水流スイッチ５及び熱交換器６は、循環流路４上に配置されている。なお、水流スイッチ５は、上記の実施形態に係る水流スイッチである。バーナ７は、熱交換器６の近傍に配置されている。バーナ７は、水流スイッチ５がオン状態にある場合に燃焼ガスを発し、水流スイッチ５がオフ状態にある場合に燃焼ガスを発しないように制御されている。ポンプＰは、循環流路４上に配置され、循環流路４を介して浴槽８内の湯水を循環させる。
【００５３】
循環流路４は、浴槽８内の湯水を加熱して再び浴槽８に戻すように循環させるための流路である。循環流路４は、第１配管４１と、第２配管４２と、第３配管４３とを有している。
【００５４】
第１配管４１は、一方端において、浴槽８の循環アダプタ８１の吸入口に接続されている。第１配管４１は、他方端において、水流スイッチ５の流入口１１に接続されている。第２配管４２は、一方端において、水流スイッチ５の流出口１２に接続されている。第２配管４２は、他方端において、熱交換器６の一方端に接続されている。第３配管４３は、一方端において、熱交換器６の他方端に接続されている。第３配管４３は、他方端において、浴槽８の循環アダプタ８１の吐出口に接続されている。
【００５５】
以下に、実施形態に係る温水装置の動作について説明する。実施形態に係る温水装置が追い焚き動作を行う際、浴槽８内の湯水は、循環アダプタ８１の吸入口、第１配管４１及び水流スイッチ５の流入口１１を介して、水流スイッチ５内の流路１３を流れる。この湯水が流れている際は、この湯水の水圧により、フラッパ本体２１が流出口１２側に回動することによりマグネット２３と近接スイッチ３とが近づく。すなわち、この際には、水流スイッチ５がオン状態とされる。その結果、バーナ７が燃焼ガスを発し、熱交換器６がこの湯水と燃焼ガスとの間で熱交換を行うことにより、循環流路４を流れる浴槽８内の湯水が加熱される。
【００５６】
他方、浴槽８内の湯水が循環流路４を流れていない場合（すなわち、この湯水が水流スイッチ５内の流路１３を流れていない場合）、フラッパ本体２１はこの湯水から水圧を受けない。そのため、フラッパ本体２１は流入口１１側に位置することになり、水流スイッチ５はオフ状態となる。その結果、バーナ７は燃焼ガスを発生させず、熱交換器６の空焚きが防止される。
【００５７】
上記のとおり、実施形態に係る温水装置１００は、上記の実施形態に係る水流スイッチを有している。そのため、実施形態に係る温水装置１００によると、温水装置１００に含まれる水流スイッチ５の組立性を改善することができる。
【００５８】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００５９】
１  ケース、１１  流入口、１２  流出口、１３  流路、１４  ケース本体、１４ａ  凹部、１４ｂ  側壁面、１４ｃ  底面、１５  蓋体、１５ａ  内側面、１５ｂ  シャフト固定部、１５ｂａ  穴、１５ｃ  台座、１５ｄ  案内板、２  フラッパ、２１  フラッパ本体、２１ａ  シャフト穴、２１ｂ  第１部分、２１ｃ  第２部分、２１ｄ  第３部分、２１ｅ  第４部分、２２  シャフト、２３  マグネット、３  近接スイッチ、４  循環流路、４１  第１配管、４２  第２配管、４３  第３配管、５  水流スイッチ、６  熱交換器、７  バーナ、８  浴槽、８１  循環アダプタ、１００  温水装置  Ｐ  ポンプ、θ  角度。
【図１】
2018097930.tif 000003
【図２】
2018097930.tif 000004
【図３】
2018097930.tif 000005
【図４】
2018097930.tif 000006
【図５】
2018097930.tif 000007
【図６】
2018097930.tif 000008
【図７】
2018097930.tif 000009